(57)【要約】【課題】スマートフォン等の携帯端末本体の加飾と共に表示部も保護できるようにカバー部品を携帯端末本体に装着可能にする。【解決手段】携帯端末本体１の左右側面及び背面を覆っているカバー部品１０の、対向する内側面１０ｂ-１，１０ｃ-１に配設された一対の突起１１ａ，１１ｂが、携帯端末本体１の左右側面１ｅ，１ｆの溝２ｃ，２ｄに沿ってスライド移動できる。突起１１ａ，１１ｂが丸凹３ａ，３ｂの位置に達するまでカバー部品１０をスライドさせた状態では、丸凹３ａ，３ｂを中心にカバー部品１０を図の状態から１８０°回転させることが可能である。この回転後にはカバー部品１０は携帯端末本体１の、表示部６を含む正面、及び左右側面を覆った状態になる。【選択図】図１１
2012186766.tif 000002
【特許請求の範囲】
【請求項１】
略四角形の平板状を成す携帯端末本体と、該携帯端末本体に装着可能なカバー部品とを備え、該携帯端末本体に対する該カバー部材の装着場所を変更可能な携帯端末であって、
前記携帯端末本体の正面及び背面は最大面積を有する面であり、前記携帯端末本体の左側面及び右側面はそれぞれの側面の長辺方向に沿って形成された第１の溝を有し、
前記カバー部品は、前記携帯端末本体の正面及び背面に合わせて略四角形に形成された１つのカバー壁と、該カバー壁の外周の４辺のうちの３辺にそれぞれ配設された第１、第２及び第３の側壁とからなり、
前記第１及び第２の側壁の各々は、前記カバー部品を前記携帯端末本体に装着したときに該携帯端末本体の左側面及び右側面にそれぞれ対応させられるように、前記３辺のうちの対向する２辺にそれぞれ沿って設けられており、
前記第３の側壁は、前記カバー部品を前記携帯端末本体に装着したときに、該携帯端末本体の、前記左側面及び右側面を除いた残りの２つの対向する天面及び底面のいずれか一方に対応させられるように、前記カバー壁の前記２辺を除いた残りの１辺に沿って設けられており、
対向する前記第１及び第２の側壁の内側面にはそれぞれ、前記左側面及び右側面の前記第１の溝に対して係合させられる第１の突起が形成されており、該各第１の突起は、前記第１及び第２の側壁の内側面の、前記第３の側壁とは反対側の端部近傍に位置しており、
前記第１の溝の、前記天面及び底面のいずれか一方の側の端部は、前記第１の突起の回転軸受けとして使用される凹みを備えていることを特徴とする携帯端末。
【請求項２】
請求項１に記載の携帯端末において、
前記第１の突起の周面は、前記第１及び第２の側壁の長辺に沿って平行な２つの平面と該２つの平面を接続する２つの凸状の曲面とを含んでおり、前記第１の突起の前記平面間の幅は前記第１の溝の幅より小さく、前記第１の突起の前記凸状の曲面間の最大幅は前記第１の溝の幅より大きくなっており、
前記凹みは、前記第１の突起の前記凸状の曲面間の最大幅より大きい開口径を有する丸い凹みであることを特徴とする携帯端末。
【請求項３】
請求項２に記載の携帯端末において、
前記カバー部品の前記第１及び第２の側壁の前記第１の突起が前記携帯端末本体の前記左側面及び右側面の前記第１の溝に係合し、前記カバー部品の前記カバー壁が前記携帯端末本体の背面を覆い、前記第１及び第２の側壁が前記携帯端末本体の前記左側面及び右側面を覆い、前記第３の側壁が前記携帯端末本体の前記底面を覆っている第一の装着状態と、
前記カバー部品の前記第１及び第２の側壁の前記第１の突起が前記携帯端末本体の前記左側面及び右側面の前記丸い凹みの内部に位置し、前記カバー部品が前記第１の突起を中心に前記携帯端末本体に対して回転可能になっている回転可能状態と、
前記カバー部品の前記第１及び第２の側壁の前記第１の突起が前記携帯端末本体の前記左側面及び右側面の前記第１の溝に係合し、前記カバー部品の前記カバー壁が前記携帯端末本体の正面を覆い、前記第１及び第２の側壁が前記携帯端末本体の前記左側面及び右側面を覆い、前記第３の側壁が前記携帯端末本体の前記天面を覆っている第二の装着状態と、
に前記カバー部品を取り外すことなく変更可能であることを特徴とする携帯端末。
【請求項４】
請求項３に記載の携帯端末において、
前記携帯端末本体の前記天面及び底面は、それぞれの面の長辺方向に沿って形成された第２の溝を有し、
前記第３の側壁の前記カバー壁側の側面には前記第２の溝と係合可能な第２の突起が設けられていることを特徴とする携帯端末。
【請求項５】
請求項４に記載の携帯端末において、
前記第一の装着状態では、前記カバー部品の前記第３の側壁の前記第２の突起が前記携帯端末本体の前記底面の前記第２の溝に係合し、
前記第二の装着状態では、前記カバー部品の前記第３の側壁の前記第２の突起が前記携帯端末本体の前記天面の前記第２の溝に係合していることを特徴とする携帯端末。
【請求項６】
請求項５に記載の携帯端末において、
前記カバー部品は、前記第二の装着状態において使用する前記携帯端末本体の正面の機能部位を露出させる露出部を有し、前記携帯端末本体の背面の機能部位は、前記第一の装着状態にされたときの前記露出部に対応する位置に配置されていることを特徴とする携帯端末。
【発明の詳細な説明】
【技術分野】
【０００１】
本発明は、携帯端末本体に装着可能なカバー部品を備えた携帯端末に関する。
【背景技術】
【０００２】
スマートフォン（多機能携帯電話）のような携帯端末の本体は、折り畳み可能又はスライド可能に２つの筐体を連結してなる端末本体とは異なり、略平板形状の単体もしくは偏平な略直方体状の単体で形成されていることが多い。そのため、端末本体の正面の大部分のエリアはタッチ操作部を兼ねた表示部で占められている。
【０００３】
このような携帯端末本体の外観については、他の携帯端末に対してデザイン的に差異化を図れる要素が少ない。しかし昨今の携帯電話機においては、市場競争が激しく、市場競争に勝ち抜くためには商品の区別化が必要となっている。
【０００４】
そのため、筐体の背面や側面に“ジャケット”と呼ばれているカバーを装着可能として、ユーザーが携帯端末を好みの形状や色にカスタマイズできるようにした携帯端末が提案されている。
【０００５】
なお、特許文献１〜３には、携帯端末本体の保護のためにカバーを取り付けられる携帯端末が開示されている。
【先行技術文献】
【特許文献】
【０００６】
【特許文献１】特開２００１−３３７７４２号公報
【特許文献２】特開２００４−１７１３０３号公報
【特許文献３】特開平１０−２７０８６７号公報
【発明の概要】
【発明が解決しようとする課題】
【０００７】
前述したスマートフォン等の端末本体の正面の表示部は常に筐体表面に露出されているため、携帯端末を床や地面に落としたときに表示部が損傷しやすい。
【０００８】
上述したジャケットは携帯端末本体の背面や側面に装着されるため、筐体の背面や側面を保護することは可能であるが、破損し易い正面の表示部は保護されないという課題がある。
【０００９】
そこで本発明は、上述した背景技術の実情に鑑み、スマートフォン等の携帯端末本体の加飾と共に表示部の保護もできるようにカバー部品を携帯端末本体に装着可能にする構造を提供する。
【課題を解決するための手段】
【００１０】
本発明の態様の一つは、略四角形の平板状を成す携帯端末本体と、該携帯端末本体に装着可能なカバー部品とを備えた携帯端末に係るものである。
【００１１】
その態様の携帯端末の特徴は、携帯端末本体の正面及び背面が最大面積を有する面であり、該携帯端末本体の左側面及び右側面はそれぞれの側面の長辺方向に沿って形成された第１の溝を有する。
【００１２】
さらに、上記カバー部品は、上記携帯端末本体の正面及び背面に合わせて略四角形に形成された１つのカバー壁と、該カバー壁の外周の４辺のうちの３辺にそれぞれ配設された第１、第２及び第３の側壁とからなる。
【００１３】
該第１及び第２の側壁の各々は、カバー部品を携帯端末本体に装着したときに該携帯端末本体の左側面及び右側面にそれぞれ対応させられるように、前記３辺のうちの対向する２辺にそれぞれ沿って設けられている。
【００１４】
該第３の側壁は、カバー部品を携帯端末本体に装着したときに、該携帯端末本体の、前記左側面及び右側面を除いた残りの２つの対向する天面及び底面のいずれか一方に対応させられるように、カバー壁の前記２辺を除いた残りの１辺に沿って設けられている。
【００１５】
対向する第１及び第２の側壁の内側面にはそれぞれ、前記左側面及び右側面の第１の溝に対して係合させられる第１の突起が形成されている。該各第１の突起は、第１及び第２の側壁の内側面の、第３の側壁とは反対側の端部近傍に位置している。
【００１６】
さらに、第１の突起の周面は、第１及び第２の側壁の長辺に沿って平行な２つの平面と該２つの平面を接続する２つの凸状の曲面とを含んでいる。第１の突起の前記平面間の幅は第１の溝の幅より小さく、第１の突起の前記凸状の曲面間の最大幅は第１の溝の幅より大きくなっている。
【００１７】
そして、第１の溝の、前記天面及び底面のいずれか一方の側の端部は、該第１の突起の回転軸受けとして使用される凹みを備えている。
【発明の効果】
【００１８】
本発明によれば、携帯端末の使用時は携帯端末本体の背面と側面を覆う第一の装着状態と、携帯端末の未使用時（電話待受時、持ち運び時など）は正面や側面を覆う第二の装着状態に、カバー部品を取り外すことなく変更可能である。つまり、携帯端末本体の左右側面の第１の溝にカバー部品の対向する２側壁の内側面の突起を係合し、該第１の溝の端部にある凹みにスライド移動させることで、カバー部品が第１の突起を中心に携帯端末本体に対して回転可能な状態になるので、第一の装着状態と第二の装着状態を自由に切り替えることができる。よって、携帯端末本体の加飾と共に、正面の表示部の保護が容易に実施できる。
【図面の簡単な説明】
【００１９】
【図１】本発明の実施例による偏平直方体状の携帯端末本体を示す六面図である。
【図２】図１の携帯端末本体に装着可能なカバー部品を示す六面図である。
【図３】図２に示したＡ−Ａ断面図と突起１１ａの拡大図である。
【図４】図１の携帯端末本体に図２のカバー部品を装着した第一の装着状態を示す六面図である。
【図５】図１の携帯端末本体に図２のカバー部品を装着した第二の装着状態を示す六面図である。
【図６】図４（ａ）のＢ−Ｂ断面とＣ−Ｃ断面を示した図である。
【図７】図５(ａ)のＤ−Ｄ断面とＥ−Ｅ断面を示した図である。
【図８】本実施例による携帯端末本体に対してカバー部品を第一の装着状態や第二の装着状態にする際の該カバー部品の使用方法を説明するための図である。
【図９】本実施例による携帯端末本体に対してカバー部品を第一の装着状態や第二の装着状態にする際の該カバー部品の使用方法を説明するための図である。
【図１０】本実施例による携帯端末本体に対してカバー部品を第一の装着状態や第二の装着状態にする際の該カバー部品の使用方法を説明するための図である。
【図１１】本実施例による携帯端末本体に対してカバー部品を第一の装着状態や第二の装着状態にする際の該カバー部品の使用方法を説明するための図である。
【図１２】本実施例による携帯端末本体に対してカバー部品を第一の装着状態や第二の装着状態にする際の該カバー部品の使用方法を説明するための図である。
【図１３】本実施例による携帯端末本体に対してカバー部品を第一の装着状態や第二の装着状態にする際の該カバー部品の使用方法を説明するための図である。
【図１４】本実施例による携帯端末本体に対してカバー部品を第一の装着状態や第二の装着状態にする際の該カバー部品の使用方法を説明するための図である。
【図１５】本実施例による携帯端末本体に対してカバー部品を第一の装着状態や第二の装着状態にする際の該カバー部品の使用方法を説明するための図である。
【図１６】本実施例による携帯端末本体に対してカバー部品を第一の装着状態や第二の装着状態にする際の該カバー部品の使用方法を説明するための図である。
【発明を実施するための形態】
【００２０】
以下、本発明の実施の形態について図面を参照して説明する。
【００２１】
図１は本実施例による携帯端末本体を示す六面図、図２は図２の携帯端末本体に装着可能なカバー部品を示す六面図である。各図において（ａ）は正面図、（ｂ）は天面図、（ｃ）は底面図、（ｄ）は左側面図、（ｅ）は右側面図、（ｆ）は背面図である。
【００２２】
図１に示すように、本例の携帯端末本体１は、略四角形の平板形状の単体で構成されており、携帯端末本体１の正面１ａおよび背面１ｂは四角形で最大面積を有する面（以下、最大面積面と称す）である。携帯端末本体１の天面１ｃと底面１ｄと左側面１ｅと右側面１ｆには、それぞれの面の長辺方向に沿って、溝２ａ，２ｂ，２ｃ，２ｄが形成されている。これらの溝は溝の両側面が平行な溝として形成されている。溝２ａ，２ｂ，２ｃ，２ｄは、本例では連続しているが、面ごとに独立して形成されていてもよい。これらの溝は、後述するカバー部品１０に設けられた突起１１ａ，１１ｂ，１２ａ，１２ｂ（図２参照）と係合する係合溝である。このため、各溝２ａ，２ｂ，２ｃ，２ｄの長手方向両端は溝端部から前記突起を挿入できるように開放されている。また、左右側面１ｅ，１ｆの溝２ｃ，２ｄにおける底面１ｄ側の端部近傍の溝部分では、該溝部分の両側面のそれぞれが、溝幅が拡がる向きの円弧形状に形成されている。換言すると、その溝部分は、溝２ｃ，２ｄの溝幅より大きい開口径を有する丸い凹み（以下、丸凹と呼ぶ。）３ａ，３ｂに成っている。両方の丸凹３ａ，３ｂは、前記カバー部品が突起を中心に回動するときの回転軸受けとして機能する。
【００２３】
なお、正面１ａにおいて天面１ｃ側にはレシーバ４（スピーカ部）が配設され、底面１ｄ側には操作ボタン５が配設され、その間のエリアに、タッチ操作部を兼用する表示部６が配設されている。さらに、背面１ｂの天面１ｃ側にカメラ７が配設され、天面１ｃには赤外線通信ポート８が配設され、底面１ｄにはコネクタ９が配設されている。本例の携帯端末にはこのような機能が備えられているが、正面の大部分のエリアを占める表示部６以外については、本願発明はそれらに限定しない。
【００２４】
一方、携帯端末本体１に装着可能なカバー部品１０は、図２に示すように、最大カバー壁１０ａと、第１、第２及び第３の側壁１０ｂ，１０ｃ，１０ｄとから構成されている。
【００２５】
最大カバー壁１０ａは上記携帯端末本体１の最大面積面の形状及び大きさに合った壁である。第１及び第２の側壁１０ｂ，１０ｃはそれぞれ、最大カバー壁１０ａの２つの対向する長辺に沿って最大カバー壁１０ａに対して垂直に形成されている。さらに、第３の側壁１０ｄは、最大カバー壁１０ａの短辺の一つに沿って最大カバー壁１０ａに対して垂直に形成され、かつ、側壁１０ｂ，１０ｃの両方と一体化されている。
【００２６】
対向する第１及び第２の側壁１０ｂ，１０ｃの内側面１０ｂ-１，１０ｃ-１にはそれぞれ、突起１１ａ，１１ｂが設けられている。突起１１ａ，１１ｂは、携帯端末本体１の左右側面１ｅ，１ｆに形成された溝２ｃ，２ｄの両方に係合されるものであり、図３に示すように略楕円形の横断面形状を有する。つまり、突起１１ａ，１１ｂの周面は、第１及び第２の側壁１０ｂ，１０ｃの長辺に沿って平行な２つの平面と、該２つの平面を接続する２つの凸状の曲面とを含んでいる。突起１１ａ，１１ｂの前記平面間の幅は溝２ｃ，２ｄの幅より僅かに小さい。突起１１ａ，１１ｂの前記凸状の曲面間の最大幅は溝２ｃ，２ｄの幅より大きく、丸凹３ａ，３ｂの開口直径よりも若干小さい。さらに、これらの突起１１ａ，１１ｂは、それぞれの側壁１０ｂ，１０ｃの、第３の側壁１０とは反対側の端部近傍に位置している。
【００２７】
さらに、第３の側壁１０ｄの内側面１０ｄ−１の、第１及び第２の側壁１０ｂ，１０ｃのそれぞれに近接した位置に、突起１２ａ，１２ｂが設けられている。突起１２ａ，１２ｂは、携帯端末本体１の天面１ｃ又は底面１ｄに形成された溝２ａ又は溝２ｂに係合されるものであり、図３に示すように略長方形の横断面形状を有する。つまり、突起１２ａ，１２ｂの周面は、第３の側壁１０ｄの長辺に沿って平行な２つの第一平面と、該２つの第一平面を接続する２つの平行な第二平面とを含んでいる。突起１２ａ，１２ｂの前記第一平面間の幅は溝２ａ，２ｂの幅より僅かに小さく、突起１２ａ，１２ｂの前記第二平面間幅は溝２ａ，２ｂの幅よりも厚い。
【００２８】
尚、最大カバー壁１０ａには切り欠き１３及び開口１４が形成され、第３の側壁１０ｄには切り欠き１５が形成されている。携帯端末本体１にカバー部品１０を完全に装着したときに、切り欠き１３はレシーバ４もしくは操作ボタン５を露出でき、開口１４はカメラ７を露出でき、切り欠き１５は赤外線通信ポート８もしくはコネクタ９を露出できるように配設されている。
【００２９】
カバー部品１０が携帯端末本体１に装着された態様について、更に詳しく説明する。
【００３０】
図４は図１の携帯端末本体１に図２のカバー部品を装着した第一の装着状態を示す六面図で、図５は図１の携帯端末本体１に図２のカバー部品を装着した第二の装着状態を示す六面図である。各図において（ａ）は正面図、（ｂ）は天面図、（ｃ）は底面図、（ｄ）は左側面図、（ｅ）は右側面図、（ｆ）は背面図である。
【００３１】
図４に示した第一の装着状態では、カバー部品１０は携帯端末本体１の背面１ｂ、底面１ｄ、左側面１ｅおよび右側面１ｆを覆う態様で装着される。このとき、正面１ａのレシーバ４と操作ボタン５と表示部６は覆われず、背面１ｂのカメラ５もまた切り欠き１３によって覆われていない。赤外線通信ポート８及びコネクタ９も覆われていない。尚、図６は図４(ａ)のＢ−Ｂ断面（図６（ａ））とＣ−Ｃ断面（図６（ｂ））を示している。
【００３２】
さらに、図５に示した第二の装着状態では、カバー部品１０は携帯端末本体１の正面１ａ、天面１ｃ、左側面１ｅおよび右側面１ｆを覆う態様で装着される。このとき、正面１ａのレシーバ４と操作ボタン５は開口１４と切り欠き１３によって覆われず、背面１ｂ全体もまた覆われていない。赤外線通信ポート８及びコネクタ９も覆われていない。尚、図７は図５に示した第二の装着状態でのＤ−Ｄ断面（図７（ａ））とＥ−Ｅ断面（図７（ｂ））を示している。
【００３３】
本実施例では、図４に示すように、第一の装着状態にてカバー部品１０の、カメラ７を覆い隠す部分（最大カバー壁１０ａ）に切り欠き１３が設けられていることで、カメラ７を露出することができる。つまり、第一の装着状態でカメラ機能を使用可能である。そして、図５に示すように、第二の装着状態では上記の切り欠き１３が操作ボタン５の位置に対応し、カバー部品１０の、レシーバ４を覆い隠す部分に開口１４が設けられているため、第二の装着状態では通話が可能となる。
【００３４】
また、第二の装着状態でカバー部品１０の、表示部６を覆い隠している部分（最大カバー壁１０ａ）を透明部材にしたり、切り欠いたりすれば、表示機能も使用可能となる。
【００３５】
本発明は上記の例に限られない。携帯端末の機能要素のレイアウトに対応してカバー部品の形状を工夫すること、即ち、切り欠いたり、穴明けしたりすることにより、カバー部品１０を携帯端末本体１に完全に装着した状態でも、その機能要素を覆い隠さずに使用することが可能となる。
【００３６】
次に、上記第一の装着状態や第二の装着状態にする際のカバー部品１０の使用方法について、図８〜図１６を用いて説明する。
【００３７】
まず、携帯ユーザーは、図８に示すように、携帯端末本体１にカバー部品１０を底面１ｄの側から図中の矢印方向に挿入する。
【００３８】
携帯ユーザーは、カバー部品１０の、対向する第一及び第二の内側面１０ｂ-１，１０ｃ-１に配設された一対の突起１１ａ，１１ｂを、携帯端末本体１の左右側面１ｅ，１ｆにある溝２ｃ，２ｄに沿ってスライド移動させる。その後、カバー部品１０の第三の内側面１０ｄ−１に配設された突起部１２ａ，１２ｂが、携帯端末本体１の底面１ｄの溝２ｂと嵌合し、図９の状態、即ち、第一の装着状態で固定される。尚、図８（ａ）及び図９（ａ）はこのスライド過程での携帯端末本体１とカバー部品１０の正面図、図８（ｂ）及び図９（ｂ）はこのスライド過程での携帯端末本体１とカバー部品１０の右側面図を示している。
【００３９】
さらに、第一の装着状態から第二の装着状態への操作について説明する。
【００４０】
携帯ユーザーは、第一の装着状態（図９）から、図１０に示すように、カバー部品１０を図中の矢印方向（筐体１の底面から離れる方向）に溝２ｃ，２ｄに沿ってスライドさせる。尚、図１０（ａ）はこのスライド過程での携帯端末本体１とカバー部品１０の正面図、図１０（ｂ）はこのスライド過程での携帯端末本体１とカバー部品１０の右側面図、図１０（ｃ）は図１０（ｂ）中の一点鎖線での囲み部位の透視拡大図を示している。
【００４１】
そして、図１１に示すように、カバー部品１０の、対向する内側面１０ｂ-１，１０ｃ-１に配設された一対の突起１１ａ，１１ｂが、携帯端末本体１の左右側面１ｅ，１ｆの溝２ｃ，２ｄ上にある丸凹３ａ，３ｂ（図１）の位置に達するまで、携帯ユーザーは、カバー部品１０をスライド移動させる。尚、図１１（ａ）は突起１１ａ，１１ｂが丸凹３ａ，３ｂ内に位置した状態での携帯端末本体１とカバー部品１０の正面図、図１１（ｂ）はその状態での携帯端末本体１とカバー部品１０の右側面図、図１１（ｃ）は図１１（ｂ）中の一点鎖線での囲み部位の透視拡大図を示している。
【００４２】
続いて、図１１（ｂ）中の矢印方向にカバー部品１０を動かして、図１２〜図１５に示すように、丸凹３ａ，３ｂを中心にカバー部品１０を図１１の状態から１８０°回転させる。尚、図１２〜１４の（ａ）はこの回転過程での携帯端末本体１とカバー部品１０の右側面図、図１２〜１４の（ｂ）は各図（ａ）中の一点鎖線での囲み部位の透視拡大図を示している。また、図１５（ａ）は第二の装着状態にされた携帯端末本体１とカバー部品１０の正面図、図１５（ｂ）は第二の装着状態にされた携帯端末本体１とカバー部品１０の正面図、図１５（ｃ）は図１５（ｂ）中の一点鎖線での囲み部位の透視拡大図を示している。
【００４３】
カバー部品１０の内側面１０ｂ-１，１０ｃ-１に配設された突起１１ａ，１１の周面は、対向する２つの凸状の曲面を含んでいる。これらの曲面間の最大幅が溝２ｃ，２ｄの幅より長く、丸凹３ａ，３ｂの径よりも小さい。そのため、上記の回転過程では、突起１１ａ，１１は、凸状曲面によって、携帯端末本体１の左右側面に配設された丸凹３ａ，３ｂの内壁面を抵抗無く滑り動くことができる。よって、カバー部品１０は携帯端末本体に対し、スムーズに回転することができる。
【００４４】
次に携帯ユーザーがカバー部品を図１５の状態から携帯端末本体１の左右側面の溝２ａ，２ｂに沿って底面１ｄの側にスライド移動させる。この結果、図１６（ｃ）に示すように、カバー部品１０の第三の内側面１０ｄ−１に配設された突起部１２ａ，１２ｂが、携帯端末本体１の天面１ｃの溝２ａと嵌合する。これと同時に、図１６（ｄ）に示すように、カバー部品１０の内側面１０ｂ-１，１０ｃ-１の突起１１ａ，１１ｂは丸凹３ａ，３ｂから溝２ｃ，２ｄに一部が侵入する。これらの事により、カバー部品１０は、携帯端末本体１に対して回転できなくなる、即ち、図１６の第二の装着状態で固定される。
【００４５】
以上説明した操作により、カバー部品１０は第一の装着状態から第二の装着状態に、携帯端末本体１から取り外すことなく、スムーズに変更可能となる。
【００４６】
また、上述と逆の操作により、カバー部品１０は第二の装着状態から第一の装着状態に、携帯端末本体１から取り外すことなく、スムーズに変更することができる。
【００４７】
以上に例示したような本願発明によれば、以下の効果を有する、カバー部品を装着可能な携帯端末を得ることが出来る。
【００４８】
本発明の携帯端末によれば、一つのカバー部品１０で、加飾を主目的とするカバー部品と表示部の保護を主目的とするカバー部品を兼用することができる。
【００４９】
このカバー部品１０は、従来のカバー部品では保護できていない部位（特に表示部やタッチ操作）の破損や汚れを保護することができる。
【００５０】
さらに、カバー部品１０を携帯端末本体１に完全に装着したままでも、携帯端末の主要機能を使用することができる。
【００５１】
尚、本願発明は、携帯電話機、ＰＨＳ（Personal Handyphone System）、ＰＤＡ（Personal Data Assistance，Personal Digital Assistants：個人向け携帯型情報通信機器）等の携帯端末装置に適用することができる。
【符号の説明】
【００５２】
１    携帯端末本体
１ａ    携帯端末本体の正面
１ｂ    携帯端末本体の背面
１ｃ    携帯端末本体の天面
１ｄ    携帯端末本体の底面
１ｅ    携帯端末本体の左側面
１ｆ    携帯端末本体の右側面
２ａ，２ｂ    溝（請求項１記載の第２の溝）
２ｃ，２ｄ    溝（請求項１記載の第１の溝）
３ａ，３ｂ    丸凹
４    レシーバ
５    操作ボタン
６    表示部
７    カメラ
８    赤外線通信ポート
９    コネクタ
１０    カバー部品
１０ａ    カバー部品の最大カバー壁
１０ｂ    カバー部品の第１の側壁
１０ｂ−１    第１の側壁の内側面
１０ｃ    カバー部品の第２の側壁
１０ｃ−１    第２の側壁の内側面
１０ｄ    カバー部品の第３の側壁
１０ｄ−１    第３の側壁の内側面
１１ａ，１１ｂ    突起（請求項１記載の第１の突起）
１２ａ，１２ｂ    突起（請求項１記載の第２の突起）
１３，１５    切り欠き
１４    開口
【図１】
2012186766.tif 000003
【図２】
2012186766.tif 000004
【図３】
2012186766.tif 000005
【図４】
2012186766.tif 000006
【図５】
2012186766.tif 000007
【図６】
2012186766.tif 000008
【図７】
2012186766.tif 000009
【図８】
2012186766.tif 000010
【図９】
2012186766.tif 000011
【図１０】
2012186766.tif 000012
【図１１】
2012186766.tif 000013
【図１２】
2012186766.tif 000014
【図１３】
2012186766.tif 000015
【図１４】
2012186766.tif 000016
【図１５】
2012186766.tif 000017
【図１６】
2012186766.tif 000018